(57)【要約】【課題】コンバインを長時間使用すると、扱室を開放して内部に堆積した脱穀物を取り除くメンテナンス作業が必要となる。【解決手段】扱胴（１１）を軸支した扱室（１０）の受網（１２）下部に唐箕ファンの送風を送る選別室（２０）を設けた脱穀装置において、前記扱室（１０）の内側カバー（４３）に前記扱胴（１１）の軸方向に沿って脱穀物を前記選別室（２０）の内側に寄せる複数のガイド体（５６）を穀粒の落下空間を空けて前記扱胴（１１）の軸方向に沿って並設したことを特徴とする脱穀装置とする。【選択図】図５
2019110872.tif 000002
【特許請求の範囲】
【請求項１】
扱胴（１１）を軸支した扱室（１０）の受網（１２）下部に唐箕ファンの送風を送る選別室（２０）を設けた脱穀装置において、
前記扱室（１０）の内側カバー（４３）に前記扱胴（１１）の軸方向に沿って脱穀物を前記選別室（２０）の内側に寄せる複数のガイド体（５６）を穀粒の落下空間を空けて前記扱胴（１１）の軸方向に沿って並設したことを特徴とする脱穀装置。
【請求項２】
帯状板を縦に並べたガイドプレート（５６ａ）で前記ガイド体（５６）としたことを特徴とする請求項１に記載の脱穀装置。
【請求項３】
線状のガイド線（５６ｂ）を前記扱胴（１１）の軸方向に沿って並べて前記ガイド体（５６）としたことを特徴とする請求項１に記載の脱穀装置。
【発明の詳細な説明】
【技術分野】
【０００１】
本発明は、コンバイン等に搭載する脱穀装置に関する。
【背景技術】
【０００２】
コンバインには、刈り取った穀稈から穀粒を脱穀する脱穀装置が搭載されている。特開２０１７−１６９４８５号公報に記載のコンバインの脱穀装置は、扱室内に円弧条の受網で囲んで扱胴を軸支し、その下部に揺動選別装置を設け、さらに下に選別風を吹き上げる送風装置を設けている。扱室側壁内には受網から落下する脱穀物を揺動選別装置上に案内する案内板を設けて脱穀物を揺動選別装置に案内するようにしている。（特許文献１、図５参照）
【先行技術文献】
【特許文献】
【０００３】
【特許文献１】特開２０１７−１６９４８５号公報
【発明の概要】
【発明が解決しようとする課題】
【０００４】
揺動選別装置は扱室内で前後に揺動するために、扱室側部の案内板との間に隙間が必要で、この隙間に脱穀物が堆積して揺動選別装置の動きを阻害するようになる。このために、コンバインを長時間使用すると、扱室を開放して内部に堆積した脱穀物を取り除くメンテナンス作業が必要となるという問題がある。
【０００５】
本発明は、上記従来の課題に鑑みて、脱穀装置において、脱穀装置内での脱穀物の堆積を少なくし、脱穀装置のメンテナンス作業頻度を減らすことを目的とする。
【課題を解決するための手段】
【０００６】
上記従来の課題は、次の技術手段により解決される。
【０００７】
請求項１の発明は、扱胴（１１）を軸支した扱室（１０）の受網（１２）下部に唐箕ファンの送風を送る選別室（２０）を設けた脱穀装置において、前記扱室（１０）の内側カバー（４３）に前記扱胴（１１）の軸方向に沿って脱穀物を前記選別室（２０）の内側に寄せる複数のガイド体（５６）を穀粒の落下空間を空けて前記扱胴（１１）の軸方向に沿って並設したことを特徴とする脱穀装置とする。
【０００８】
請求項２の発明は、帯状板を縦に並べたガイドプレート（５６ａ）で前記ガイド体（５６）としたことを特徴とする請求項１に記載の脱穀装置とする。
【０００９】
請求項３の発明は、帯状板を縦に並べたガイドプレート（５６ａ）で前記ガイド体（５６）としたことを特徴とする請求項１に記載の脱穀装置とする。
【発明の効果】
【００１０】
請求項１の発明で、扱室１０の扱胴１１と受網１２の間で脱穀された穀粒や藁屑等の脱穀物は受網１２を通過して内側カバー４３のガイド体５６で内側に寄せられながら選別室４ａに落下するが、穀粒はガイド体５６を通過して選別室２０に落下し藁屑等の比較的大きなものはガイドプレート５６ａで受けて唐箕ファン１８の送風で選別室２０の内側におくられるので、内側カバー４３の近くに堆積することなく、堆積する脱穀物が少なくなり、堆積脱穀物を取り除くメンテナンス作業の頻度を小さく出来る。
【００１１】
請求項２の発明で、請求項１の効果に加えて、帯状板を縦に並べたガイドプレート５６ａは多くの脱穀物が発生しても撓むことなく穀粒以外の脱穀物を選別室２０の内側に送るので、高能率の脱穀装置でより効果的である。
【００１２】
請求項３の発明で、請求項１の効果に加えて、線状のガイド線５６ｂは、脱穀物との接触面積が小さいので、穀粒以外の脱穀物を選別室２０の内側に送り易い。
【図面の簡単な説明】
【００１３】
【図１】脱穀装置の背断面図である。
【図２】脱穀装置の外側カバーを内側から見た斜視図である。
【図３】第二実施例における脱穀装置の外側カバーを内側から見た斜視図である。
【図４】第三実施例における脱穀装置の外側カバーを内側から見た斜視図である。
【図５】第四実施例における脱穀装置の外側カバーを内側から見た斜視図である。
【図６】第五実施例における脱穀装置の外側カバーを内側から見た斜視図である。
【図７】第六実施例における脱穀装置の外側カバーを内側から見た斜視図である。
【図８】第七実施例における脱穀装置の外側カバーを内側から見た斜視図である。
【発明を実施するための形態】
【００１４】
本発明の実施の形態を図面に基づいて説明する。図１には、脱穀装置１の要部を示している。
【００１５】
脱穀装置１は、上部に供給された穀稈を脱穀する扱室１０を備え、扱室の下側に選別室２０を備える。選別室２０には、揺動選別部２１が装備されている。揺動選別部２１には、シーブやストローラック等の選別部材を有し、揺動選別部２１の下側に配置される唐箕（図示省略）からの選別風によって、脱穀後の被処理物を選別する。
【００１６】
扱室１０には、前後軸周りに回転する扱胴１１と、この扱胴１１の下半周部を包囲する受網１２を備え、この受網１２と扱胴１１の外周面に複数設置された扱歯１３により穀稈を脱穀し、脱粒した穀粒が選別室２０に供給される。
【００１７】
また、扱室１０の側方には、受網１２と所定の処理物落下空間３９をあけて、サイドカバー１４が配置される。サイドカバー１４における処理物落下空間３９側（内側）には、処理物の落下を案内する流下ガイドが設けられる。
【００１８】
この流下ガイド４０は、図２に示すように、受網１２の接線方向に沿うように下り傾斜させた流下部５０ａと、該流下部５０ａの下端から外下向きに折返して屈曲させた吹上部５０ｂと、水平状の支持板５１とからなり、流下部５０ａの上端と支持板５１の外側端を内側カバー４３に接合している。
【００１９】
図３は、流下ガイド４０の別実施例で、流下部５０ａの下端に半円筒上に膨らむ膨出部５０ｃを形成していて、膨出部５０ｃの下面に沿って選別風が吹き上げるようになる。
【００２０】
図４は、流下ガイド４０のさらに別実施例で、流下部５０ａの傾斜面を狭くした構成で、僅かな吹上部５０ｂに沿って選別風が吹き上げる。
【００２１】
以上の説明は、左側側壁に構成されるサイドカバー１４に設ける流下ガイド４０を説明したが、右側側壁内にも同様の流下ガイド４０を設けると良い。
【００２２】
図５は、図２の実施例において、流下ガイド４０として流下部５０の内側にガイドプレート５６ａを一定間隔で下り傾斜状態に追加した実施例で、ガイドプレート５６ａの内側端面に凹凸を形成し、脱穀物の藁屑を浮かせ穀粒を流下部５０ａ上に落下し易くしている。なお、ガイドプレート５６ａは内側カバー４３の前後全幅に設けても後半部のみに設けても良い。
【００２３】
図６は、図５の実施例で、ガイドプレート５６ａに代えて直線状のガイド線５６ｂを前後方向に密に配設した構成である。なお、ガイド線５６ｂを内側に弧状に弯曲させても良い。また、ガイド線５６ｂは内側カバー４３の前後全幅に設けても後半部のみに設けても良い。
【００２４】
また、直線状のガイド線５６ｂを側面視で後方へ向けて下り傾斜させたり、前から後にかけて短いものから長いものに順次変えたりすることも考えられる。
【００２５】
図７は、図４の構成にガイドプレート５６ａを一定間隔で下り傾斜状態に追加した実施例である。
【００２６】
図８は、図４の構成に弧状のガイド線５６ｂａを一定間隔で密に配設し、さらに真っ直ぐな直ガイド線５７を疎に配設した実施例である。なお、流下ガイド４０に流下部５０ａと吹上部５０ｂを設けた図２から図４の構成では、前記の実施例と同様にガイド線５６ｂを様々に配設することも可能である。
【００２７】
なお、ガイドプレート５６ａやガイド線５６ｂのガイド体５６の配設間隔は、少なくとも穀粒が通過する間隔とする。
【００２８】
また、上記の実施例では、流下ガイド４０とガイド体５６との組み合わせで説明しているが、流下ガイド４０がなくガイド体５６のみであっても、脱穀物の堆積を減らす効果がある。
【符号の説明】
【００２９】
１  脱穀装置
１０  扱室
１１  扱胴
１２  受網
２０  選別室
４０  流下ガイド
４３  内側カバー
５６  ガイド体
５６ａ  ガイドプレート
５６ｂ  ガイド線
【図１】
2019110872.tif 000003
【図２】
2019110872.tif 000004
【図３】
2019110872.tif 000005
【図４】
2019110872.tif 000006
【図５】
2019110872.tif 000007
【図６】
2019110872.tif 000008
【図７】
2019110872.tif 000009
【図８】
2019110872.tif 000010